(57)【要約】【課題】遊技機の収納箱に対する不正な行為を防止する機構が簡素かつ経済的なものにする。【解決手段】収納箱４９が取付台４５に台側係合機構および箱側係合機構で取り付けられ、球体からなる複数の介在物６０が在通路８８ｂに一列に収納された状態において、収納箱４９が矢印Ｘ２で示す下方から上方への取外方向に移動された場合、介在通路８８ｂに収納された複数の介在物６０が台側傾斜溝７３に衝突し、収納箱４９を取付台４５から取り外すことができない、また、人が解除操作機構を介在通路８８ｂに収納された複数の介在物６０の個数だけ往復操作しなければ、収納箱４９が取付台４５から取り外せないようにしたことによって、収納箱４９が取付台４５からの取外し操作を面倒にすることができる。【選択図】図１
2006167338.tif 000002
【特許請求の範囲】
【請求項１】
遊技機に取付台を設け、取付台に台側係合機構を設け、収納箱に箱側係合機構を設け、箱側係合機構と台側係合機構との一方向への移動による摺接係合によって、収納箱が取付台に取り付けられる一方、取付台に取り付けられた収納箱が上記箱側係合機構と台側係合機構との摺接係合による一方向の逆方向に移動されることによって、収納箱が取付台から取り外される遊技機の収納箱取付装置において、取付台に台側ロック機構を設け、収納箱に箱側ロック機構を設け、台側ロック機構は球体または円盤からなる介在物を上記箱側係合機構と台側係合機構との摺接係合による一方向と交差する斜めの一方向に流す台側傾斜溝を有し、箱側ロック機構は球体または円盤からなる介在物を上記箱側係合機構と台側係合機構との摺接係合による一方向と交差する斜めの一方向に流す箱側傾斜溝を有し、収納箱が取付台に箱側係合機構と台側係合機構との一方向への移動による摺接係合によって取り付けられると、台側傾斜溝と箱側傾斜溝とが球体または円盤からなる複数の介在物を一列に収納する１つの介在通路を形成し、この１つの介在通路に球体または円盤からなる複数の介在物が一列に収納され、収納箱が上記箱側係合機構と台側係合機構との摺接係合による一方向の逆方向に移動された場合、１つの介在通路に収納された球体または円盤からなる複数の介在物が台側傾斜溝に衝突して収納箱の取付台からの取り外しを防止することを特徴とする遊技機の収納箱取付装置。
【請求項２】
１つの介在通路に収納された球体または円盤からなる複数の介在物を１回の往復操作ごとに１個ずつ１つの介在通路から１つの介在通路の外に取り出す解除操作機構が台側ロック機構に設けられたことを特徴とする請求項１記載の遊技機の収納箱取付装置。
【請求項３】
遊技機が球体を遊技媒体として使用する遊技機の場合、複数の介在物として遊技媒体としての球体を用いたことを特徴とする請求項１記載の遊技機の収納箱取付装置。
【請求項４】
遊技機が円盤を遊技媒体として使用する遊技機の場合、複数の介在物として遊技媒体としての円盤を用いたことを特徴とする請求項１記載の遊技機の収納箱取付装置。
【発明の詳細な説明】
【技術分野】
【０００１】
本発明は、遊技機の収納箱に対する不正な行為を防止する機構が簡素かつ経済的な取付装置に関する。
【背景技術】
【０００２】
遊技機の１つであるパチンコ球と呼ばれる球体を遊技媒体として使用するパチンコ機には、遊技機枠または遊技機枠に装着される遊技盤に取り付けられた取付台に台側係合機構を設け、電気部品の実装された回路基板を収納した収納箱に箱側係合機構を設け、箱側係合機構が台側係合機構に上方から下方に嵌め込まれることによって、収納箱が取付台に取り付けられている。そして、収納箱の取付台から取り外されるのを邪魔する機械的な邪魔板、邪魔板が取付台から取り外されるのを電気的に検出するセンサ、電気ロックを取付台に設け、収納箱の内部に回路基板に実装されたＲＯＭが不正ＲＯＭに交換されるような不正行為を防止するものが知られている。しかしながら、邪魔板なる機械的な機構と、センサや電気ロックなる電気的な機構とを併用するので、構造が複雑であるうえ、パチンコ機が遊技店に設置されている期間、四六時中、電気を使用することから、不経済であるという欠点がある。
【特許文献１】特開平１１−９００１２号公報
【発明の開示】
【発明が解決しようとする課題】
【０００３】
発明が解決しようとする問題点は、構造が複雑であるうえ、不経済であるという点である。
【課題を解決するための手段】
【０００４】
本発明に係る遊技機の収納箱取付装置は、遊技機に取付台を設け、取付台に台側係合機構を設け、収納箱に箱側係合機構を設け、箱側係合機構と台側係合機構との一方向への移動による摺接係合によって、収納箱が取付台に取り付けられる一方、取付台に取り付けられた収納箱が上記箱側係合機構と台側係合機構との摺接係合による一方向の逆方向に移動されることによって、収納箱が取付台から取り外される遊技機の収納箱取付装置において、取付台に台側ロック機構を設け、収納箱に箱側ロック機構を設け、台側ロック機構は球体または円盤からなる介在物を上記箱側係合機構と台側係合機構との摺接係合による一方向と交差する斜めの一方向に流す台側傾斜溝を有し、箱側ロック機構は球体または円盤からなる介在物を上記箱側係合機構と台側係合機構との摺接係合による一方向と交差する斜めの一方向に流す箱側傾斜溝を有し、収納箱が取付台に箱側係合機構と台側係合機構との一方向への移動による摺接係合によって取り付けられると、台側傾斜溝と箱側傾斜溝とが球体または円盤からなる複数の介在物を一列に収納する１つの介在通路を形成し、この１つの介在通路に球体または円盤からなる複数の介在物が一列に収納され、収納箱が上記箱側係合機構と台側係合機構との摺接係合による一方向の逆方向に移動された場合、１つの介在通路に収納された球体または円盤からなる複数の介在物が台側傾斜溝に衝突して収納箱の取付台からの取り外しを防止することを最も主要な特徴とする。本発明に係る遊技機の収納箱取付装置において、１つの介在通路に収納された球体または円盤からなる複数の介在物を１回の往復操作ごとに１個ずつ１つの介在通路から１つの介在通路の外に取り出す解除操作機構が台側ロック機構に設けられたり、遊技機が球体を遊技媒体として使用する遊技機の場合に複数の介在物として遊技媒体としての球体を用いたり、遊技機が円盤を遊技媒体として使用する遊技機の場合に複数の介在物として遊技媒体としての円盤を用いたりしてもよい。
【発明の効果】
【０００５】
本発明に係る遊技機の収納箱取付装置は、収納箱が取付台に箱側係合機構と台側係合機構との一方向への移動による摺接係合によって取り付けられ、球体または円盤からなる複数の介在物が１つの介在通路に一列に収納された状態において、収納箱が上記箱側係合機構と台側係合機構との摺接係合による一方向の逆方向に移動された場合、介在通路に収納された球体または円盤からなる複数の介在物が台側傾斜溝に衝突して収納箱の取付台からの取り外しを防止するので、収納箱を取付台から簡単に取り外すことができないという利点があるうえ、球体または円盤からなる複数の介在物を一列に収納する１つの介在通路が取付台に設けられた台側傾斜溝と収納箱に設けられた箱側傾斜溝とからなる機械的な構造物によって形成されているので、収納箱に対する不正な行為を防止する機構が簡素かつ経済的であるという利点がある。本発明に係る遊技機の収納箱取付装置において、１つの介在通路に収納された球体または円盤からなる複数の介在物を１回の往復操作ごとに１個ずつ介在通路から介在通路の外に取り出す解除操作機構が台側ロック機構に設けられれば、介在通路に収納された球体または円盤からなる複数の介在物の個数だけ、人が解除操作機構を往復操作することによって、収納箱を取付台から取り外せるので、収納箱を取付台から簡単に取り外すことができないように、収納箱の取付台からの取り外し操作が面倒であるものの、遊技店から使用済として回収した遊技機から収納箱を取付台から取り外して回収することができるという利点がある。本発明に係る遊技機の収納箱取付装置において、遊技機が球体を遊技媒体として使用する遊技機の場合に複数の介在物として遊技媒体としての球体を用いたり、遊技機が円盤を遊技媒体として使用する遊技機の場合に複数の介在物として遊技媒体としての円盤を用いたりすれば、遊技機に安価に適用することができるという利点がある。
【発明を実施するための最良の形態】
【０００６】
図１乃至図１２は、遊技機の１つであるパチンコ機を例とした発明を実施するための最良の形態である。図１は、遊技機の収納箱取付装置の要部を断面して示す。図２は、パチンコ機の遊技機枠１と遊技盤４１とを分解して示す。図３は、遊技機の収納箱取付装置を分解して示す。図４は、解除操作機構５９を分解して裏側から示す。図５は、解除操作機構５９を分解して前側から示す。図６は、収納箱４９を取付台４５に取り付ける状態を示す。図７は、球体からなる介在物６０でロックした遊技機の収納箱取付装置の裏面を示す。図８は、図７をＢ−Ｂ線に沿い切断した断面を示す。図９は、図７をＣ−Ｃ線に沿い切断した断面を示す。図１０乃至図１２は解除操作機構５９の操作を示す。この明細書において、「前」、「後」、「裏」、「左」、「右」、「上」、「下」の方向は、図２の状態に遊技機枠１および遊技盤４１を置いて矢印Ａで示す前側から見た場合に特定される方向である。「後」と「裏」とは同じ方向である。
【０００７】
図２を参照し、パチンコ機における遊技機枠１と遊技盤４１との構造について説明する。遊技機枠１は、固定枠２の前側に可動枠３を左側のヒンジ４で横方向に片開き可能に取り付け、可動枠３の前側にパネル枠５および球皿構造体６を左側のヒンジ７で横方向に片開き可能に取り付けた、構造である。固定枠２は、パチンコ店の図外の遊技機設置構造体に取り付けるための外枠とも呼ばれ、前後方向に貫通した縦長な長方形の空間を囲む額縁形状である。可動枠３は、遊技盤４１を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４１を装着する前側に開口した盤収納室１５の背壁１６に前後方向に貫通する中央開口部１７を備える。背壁１６の左側部には、盤押圧体１８および盤受止体１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４１を搭載する左右方向に平坦な面としての盤棚２２を形成する。
【０００８】
盤棚２２から下方に延設された盤収納構造体９における前壁２３の前面には、球発射機構２４、球発射レール２５、ファール球取入口２６、払出球中継樋２７が前壁２３の前面に設けられる。球発射レール２５は、球皿構造体６の球供給口３４から供給された１個の球を受け取る。球発射機構２４は、電力供給と遮断とを交互に受けることによって、球皿部３１から球発射レール２５に供給された球を遊技盤４１の遊技領域に向けて１個ずつ発射する。球発射レール２５は、球発射機構２４から発射された球を、遊技盤４１における発射通路の入口に誘導する。払出球中継樋２７は、可動枠３の裏側に設けられた球払出装置から払い出された球を球皿構造体６の球取入口３３に排出する。前壁２３の裏面には、機外排出樋２８が設けられる。機外排出樋２８は、遊技盤４１の裏側から排出された球を受け取って遊技機設置構造体における捕球機構に排出する。パネル枠５は、前後方向に貫通する窓２９を囲む額縁形状である。パネル枠５の裏面には、前面パネル３０が窓２９を覆う格好でパネル枠５の裏側から取り付けられる。前面パネル３０は、光を透過する性質の有るガラスまたは合成樹脂などの材料からなる板状である。球皿構造体６の前面には、球皿部３１および発射操作機構３２が設けられる。球皿部３１は、遊技に使用する球を受ける上方に開口した上方から下方に窪む容器である。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。
【０００９】
遊技機枠１では、可動枠３やパネル枠５および球皿構造体６が閉じられてロック機構１１乃至１３で開閉不能に支持された場合、遊技店の店員が図外のキープレート（鍵）を遊技機枠１の前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３とパネル枠５とのロック機構１２による支持形態が解除される。この支持形態の解除後に、店員がパネル枠５を前側に引くことによって、パネル枠５はヒンジ７を回転中心として前側に片開きされる。このように、パネル枠５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【００１０】
遊技盤４１の裏面には、球案内構造体４２と画像表示装置４３と取付台４５および主制御装置４６が設けられる。球案内構造体４２は、セット板とも呼ばれ、遊技盤４１の前面における図外の内ガイドレールと外ガイドレールとで囲まれた内側の遊技領域の入賞部品から遊技盤４１の裏面に排出されたパチンコ球と呼ばれる球を、下方に誘導して排出する。画像表示装置４３は、液晶表示器のように電気的に表示形態を変えられる画像を表示画面に表示する画像表示器４７と、画像表示器４７を制御する図柄制御装置４８とが、１つの収納箱４９の内部に装着された構造である。画像表示器４７の表示画面に表示された画像が遊技盤４１の前側から見えるように、画像表示装置４３は、球案内構造体４２の裏側から球案内構造体４２に設けられた逃孔５０に挿入され、球案内構造体４２に取り付けられる。取付台４５の取付足５１が、取付足５１の裏側から取付足５１に設けられた図外のねじ挿入孔を経由して球案内構造体４２に設けられた図外のねじ取付孔に締結されることによって、取付台４５が、主制御装置４６を取り付けるために、球案内構造体４２の裏面に固定される。主制御装置４６は、ＣＰＵ、ＲＯＭ、ＲＡＭ、入力インターフェース、出力インターフェースなどのような、遊技の全般を制御する電気部品の実装された回路基板が、光を透過する性質の有る無色な合成樹脂からなる収納箱４９の内部に格納され、収納箱４９が開閉できないように封止部５２で封印された、構造である。遊技盤４１の右側部には、盤側取付部５３が、上下に位置して設けられる。盤側取付部５３は、ロック挿入孔５４を個別に備える。
【００１１】
そして、遊技盤４１は、遊技機枠１に次のように装着される。パネル枠５が可動枠３の前側に開けられた状態において、遊技盤４１の前面が前側に向けられ、遊技盤４１の裏側が遊技機枠１の方向に向けられ、遊技盤４１が遊技機枠１の前側から盤収納室１５に挿入され、遊技盤４１の下部が盤棚２２の上に載せられ、遊技盤４１の左側部が盤押圧体１８と盤受止体１９との間に挿入され、遊技盤４１の左側部が盤押圧体１８で前側に押されつつ盤押圧体１８と盤受止体１９とで前後方向から挟まれた後、遊技盤４１の右側部が作業者によって後側に押されると、盤ロック機構２０のロック操作体２１が盤側取付部５３のロック挿入孔５４に後側から挿入されて前側に突出する。その状態において、作業者がロック操作体２１を例えば左方向に９０度回転操作すると、ロック操作体２１がロック挿入孔５４の周りにおける盤側取付部５３と係合し、遊技盤４１が可動枠３に取り付けられる。このように遊技盤４１が可動枠３に取り付けられた場合、球案内構造体４２と画像表示装置４３と取付台４５および主制御装置４６は、中央開口部１７を経由して盤収納構造体９より裏側に突出する。
【００１２】
図３を参照し、遊技機の収納箱取付装置の構造について、遊技盤４１の裏面に取り付けられる主制御装置４６を例として説明する。収納箱取付装置は、台側係合機構５５、箱側係合機構５６、台側ロック機構５７、箱側ロック機構５８、解除操作機構５９、介在物６０を備える。台側係合機構５５および箱側係合機構５６は、互いに、一方向への移動による摺接係合によって、収納箱４９を取付台４５に取り付ける一方、摺接係合による一方向の逆方向への移動によって、収納箱４９を取付台４５から取り外すものである。上記一方向への移動は、矢印Ｘ１で示す上方から下方への移動を例とし、一方向の逆方向への移動は、矢印Ｘ２で示す下方から上方への移動を例とする。よって、矢印Ｘ１で示す上方から下方への移動は、収納箱４９の取付台４５への取付方向であり、矢印Ｘ２で示す下方から上方への移動は、収納箱４９の取付台４５からの取外方向である。
【００１３】
台側係合機構５５は、取付台４５における球案内構造体４２から裏側に離れた裏壁４５ａに、左右方向に離れて相対峙して設けられ、左係合溝６２および右係合溝６３を備える。左係合溝６２は、機構躯体８９の裏壁８９ａから裏側に突出する左縦壁６４と、左縦壁６４の後縁部から内側に突出する左横壁６５とによって、箱側係合機構５６の左係合壁６８を上下方向に移動可能にかつ前後方向にがたつかないように嵌め込む溝として形成される。右係合溝６３は、取付台４５の裏壁４５ａから裏側に突出する右縦壁６６と、右縦壁６６の後縁部から内側に突出する右横壁６７と、取付台４５の裏壁４５ａとによって、箱側係合機構５６の右係合壁６９を上下方向に移動可能にかつ前後方向にがたつかないように嵌め込む溝として形成される。箱側係合機構５６は、収納箱４９の左側面における前縁部から左方向に突出する板状の左係合壁６８と、収納箱４９の右側面における前縁部から右方向に突出する板状の右係合壁６９とからなる。左係合壁６８の前面および右係合壁６９の前面は、収納箱４９の前壁４９ａの前面と同一面内に位置する。そして、箱側係合機構５６の左係合壁６８が台側係合機構５５の左係合溝６２に上方から嵌め込まれ、箱側係合機構５６の右係合壁６９が台側係合機構５５の右係合溝６３に上方から嵌め込まれ、収納箱４９が人の操作で上方から下方に移動されると、台側係合機構５５と箱側係合機構５６とが矢印Ｘ１で示す上方から下方への移動による摺接係合によって、収納箱４９が取付台４５に前後方向に抜けないように取り付けられる。
【００１４】
取付台４５の裏壁４５ａには、切欠部４５ｂが、台側係合機構５５の左右の間に位置し、上方および前後方向に開口して設けられる。切欠部４５ｂの下縁部には、コネクタ７０が設けられる。収納箱４９の下面には、コネクタ７１を備える。そして、前記のように収納箱４９が、台側係合機構５５と箱側係合機構５６との矢印Ｘ１で示す上方から下方への移動による摺接係合によって取付台４５に取り付けられることによって、取付台４５のコネクタ７０と収納箱４９のコネクタ７１とが互いに接続され、収納箱４９がそれ以上下方向に移動しないように取付台４５に取り付けられる。その状態において、収納箱４９が人の操作で矢印Ｘ２で示す下方から上方に移動されることによって、上記コネクタ７０とコネクタ７１との接続が解除され、箱側係合機構５６が台側係合機構５５から上方に引き抜かれ、収納箱４９が取付台４５から取り外される。
【００１５】
台側ロック機構５７は、台側案内溝７２および台側傾斜溝７３を備える。台側案内溝７２および台側傾斜溝７３は、互いに連接される。台側案内溝７２は、収納箱４９の矢印Ｘ１；Ｘ２で示す取付取外方向と平行な上下方向に直線的に延長し、台側左壁７４と台側右壁７５と台側前壁７６とによって、上側と下側および後側に開口する。台側左壁７４および台側右壁７５は、互いに左右方向に所定間隔で離れて相対峙する。取付台４５の切欠部４５ｂにおける左側縁部には、延設壁４５ｃが、前側に突出した後に左側に突出した形状に設けられる。台側左壁７４は、取付台４５の延設壁４５ｃから後側に突出する。台側前壁７６は、台側左壁７４の前縁部から右側に突出し、延設壁４５ｃと同体になっている。台側右壁７５は、台側前壁７６の右縁部から後側に突出する。台側傾斜溝７３は、台側案内溝７２から供給された介在物６０を、収納箱４９の矢印Ｘ１；Ｘ２で示す取付取外方向と交差する斜めの一方向に流す方向に延長し、台側上壁７７と台側下壁７８と台側前壁７９とによって、上側と下側および後側に開口する。台側上壁７７および台側下壁７８は、互いに上下右方向に所定間隔で離れて相対峙し、取付台４５の延設壁４５ｃから後側に突出する。台側前壁７９は、台側上壁７７の前縁部と台側下壁７８の前縁部とに連接され、延設壁４５ｃと同体になっている。台側傾斜溝７３が介在物６０を流す収納箱４９の矢印Ｘ１；Ｘ２で示す取付取外方向と交差する斜めの一方向は、右側から左側である。よって、台側傾斜溝７３は、右側から左側に行くにしたがって徐々に下り坂となる溝である。台側左壁７４および台側右壁７５における相対峙する所定間隔は、また、台側上壁７７および台側下壁７８における相対峙する所定間隔は、複数の介在物６０が数珠繋ぎとなって一列に通るように、１個の介在物６０の直径と同一寸法か、または、介在物６０の直径よりもわずかに大きい寸法である。
【００１６】
箱側ロック機構５８は、箱側案内溝８０および箱側傾斜溝８１を備える。箱側案内溝８０および箱側傾斜溝８１は、互いに連接される。箱側案内溝８０は、収納箱４９の矢印Ｘ１；Ｘ２で示す取付取外方向と平行な上下方向に直線的に延長し、箱側左壁８２と箱側右壁８３と箱側裏壁８４とによって、上側と下側および前側に開口する。箱側左壁８２および箱側右壁８３は、互いに上下方向に所定間隔で離れて相対峙し、収納箱４９の前壁４９ａから前側に突出する。箱側裏壁８４は、箱側左壁８２の後縁部と箱側右壁８３の後縁部とに連接され、収納箱４９の前壁４９ａと同体になっている。箱側傾斜溝８１は、箱側案内溝８０から供給された介在物６０を、収納箱４９の矢印Ｘ１；Ｘ２で示す取付取外方向と交差する斜めの一方向に流す方向に延長し、箱側上壁８５と箱側下壁８６と箱側裏壁８７とによって、上側と下側および前側に開口する。箱側上壁８５および箱側下壁８６は、互いに上下方向に所定間隔で離れて相対峙し、収納箱４９の前壁４９ａから前側に突出する。箱側裏壁８７は、箱側上壁８５の後縁部と箱側下壁８６の後縁部とに連接され、収納箱４９の前壁４９ａと同体になっている。箱側傾斜溝８１が介在物６０を流す収納箱４９の矢印Ｘ１で示す取付方向およびＸ２で示す取外方向と交差する斜めの一方向は、右側から左側である。よって、箱側傾斜溝８１は、右側から左側に行くにしたがって徐々に下り坂となる溝である。箱側傾斜溝８１が介在物６０を流す収納箱４９の矢印Ｘ１で示す取付方向およびＸ２で示す取外方向と交差する傾斜角度は、台側傾斜溝７３が介在物６０を流す収納箱４９の矢印Ｘ１で示す取付方向およびＸ２で示す取外方向と交差する傾斜角度と同じである。箱側左壁８２および箱側右壁８３における相対峙する所定間隔は、また、箱側上壁８５および箱側下壁８６における相対峙する所定間隔は、複数の介在物６０が数珠繋ぎとなって一列に通るように、１個の介在物６０の直径と同一寸法か、または、介在物６０の直径よりもわずかに大きい寸法である。
【００１７】
そして、収納箱４９が、台側係合機構５５と箱側係合機構５６との矢印Ｘ１で示す上方から下方への移動による摺接係合によって取付台４５に取り付けられることによって、台側案内溝７２と箱側案内溝８０とが互いに前後方向に対向して複数の介在物６０を数珠繋ぎとなるように一列に案内する１つの誘導通路８８ａ（図７参照）を形成し、台側傾斜溝７３と箱側傾斜溝８１とが互いに前後方向に対向して誘導通路８８ａから流れてきた複数の介在物６０を数珠繋ぎとなるように一列に収納する１つの介在通路８８ｂ（図７参照）を形成する。
【００１８】
図４および図５を参照し、解除操作機構５９の構造について説明する。解除操作機構５９は、取付台４５の裏壁４５ａに、台側ロック機構５７の周りに位置して設けられ、機構躯体８９と取出構造体９０および機構蓋９１を備える。機構躯体８９は、誘導通路９２、格納室９３、連絡口９４、排出口９５および蓋取付部９６を備える。誘導通路９２は、介在通路８８ｂ（図７参照）から介在物６０を一列に下方に誘導するように、取付台４５における裏壁４５ａの裏面に開口し、取付台４５の裏壁４５ａから裏側に突出した斜めの通路である。格納室９３は、取出構造体９０を上下方向に移動可能に収納するように、取付台４５における裏壁４５ａの裏面に開口し、取付台４５の裏壁４５ａから裏側に突出した上下方向に延びる縦溝である。連絡口９４は、介在通路８８ｂから介在物６０を格納室９３の方向に排出するために、誘導通路９２と格納室９３とを区分する隔壁９７の裏面から前側に窪むように、隔壁９７に形成された開口である。排出口９５は、取出構造体９０から介在物６０を格納室９３の裏側に排出するように、格納室９３の裏壁に前後方向への貫通孔として形成された開口である。蓋取付部９６は、機構蓋９１を機構躯体８９に取り付けるように、誘導通路９２の下部と格納室９３の上下部とに設けられる。蓋取付部９６には、ねじ取付孔９８が、蓋取付部９６の裏面から内部への窪み孔として個別に形成される。ねじ取付孔９８は、止ねじ９９のねじ部を締結する部分である。
【００１９】
取出構造体９０は、取付台４５の前側から格納室９３に収納され、人が上下方向に操作することによって、介在通路８８ｂ（図７参照）から介在物６０を格納室９３の排出口９５を経由して格納室９３の裏側である外側に取り出すものであって、取込部１００、案内壁１０１、閉鎖壁１０２および操作体１０３を備える。取込部１００は、介在物６０を１個収納し得る部屋を形成する。取込部１００は、前面と裏面および右面が開口し、上面と下面および左面が閉鎖した、箱形である。案内壁１０１は、格納室９３に収納された取出構造体９０が上下方向に移動するのを案内するように、取込部１００の上面の右縁部から上方に直線的に突出する。閉鎖壁１０２は、格納室９３に収納された取出構造体９０が下方から上方に移動した場合に連絡口９４を塞ぐために、取込部１００の下面の右縁部から下方に直線的に突出する。操作体１０３は、人が上下方向に操作するものであって、取出構造体９０が格納室９３に収納される場合に格納室９３から排出口９５を経由して格納室９３よりも裏側に突出するように、取込部１００の上面の前縁部から裏側に直線的に突出する。
【００２０】
機構蓋９１は、取出構造体９０を格納室９３に収納した後に機構躯体８９に取り付けられることによって、誘導通路９２の裏面の開口および格納室９３の裏面の開口を塞ぐ、板状である。機構蓋９１には、取付足１０４が設けられる。取付足１０４は、機構蓋９１を誘導通路９２の裏面の開口および格納室９３裏面の開口を塞ぐように機構躯体８９に裏側から重ね合わされた場合、機構躯体８９の蓋取付部９６と対応する。取付足１０４には、止ねじ９９のねじ部を挿入するためのねじ挿入孔１０５が、前後方向への貫通孔として形成される。取付台４５の取付足５１には、取付台４５を図３の球案内構造体４２に取り付けるための図外の止ねじのねじ部を挿入するためのねじ挿入孔１０６が、前後方向への貫通孔として形成される。
【００２１】
図１、図６乃至図９を参照し、収納箱取付装置の作用について説明する。先ず、図６に示すように、主制御装置４６の収納箱４９が取付台４５の上方に配置され、収納箱４９が取付台４５の方向に移動され、箱側係合機構５６が台側係合機構５５に上方から嵌め込まれた後に矢印Ｘ１で示す上方から下方への移動によって摺接係合する。これよって、図７に示すように、取付台４５のコネクタ７０と収納箱４９のコネクタ７１とが互いに接続され、収納箱４９がそれ以上下方に移動しないように取付台４５に取り付けられる。次に、球体からなる複数の介在物６０が収納箱４９と取付台４５との間における台側案内溝７２と箱側案内溝８０とからなる案内通路８８ａに上方から挿入される。すると、図８に示すように、複数の介在物６０が台側傾斜溝７３と箱側傾斜溝８１とからなる介在通路８８ｂに数珠繋ぎとなるように一列に収納される。介在通路８８ｂに挿入される介在物６０の個数は、介在物６０が図９に示す取出構造体９０から図７に示す介在通路８８ｂにまで存在する個数以上である。そして、図１に示すように、介在物６０が介在通路８８ｂに存在する状態において、人が、収納箱４９を取付台４５より取り外そうとして、収納箱４９を矢印Ｘ２で示す下方から上方に移動した場合、介在通路８８ｂに存在する介在物６０が箱側傾斜溝８１の箱側下壁８６で上方に持ち上げられて台側傾斜溝７３の台側上壁７７に衝突し、収納箱４９が取付台４５から取り外せない。
【００２２】
図１０乃至図１２を参照し、介在物６０が取出構造体９０から介在通路８８ｂにまで存在し、収納箱４９が取付台４５に取り外すことができないように取り付けられた状態において、人が収納箱４９を取付台４５から取り外す場合について、説明する。先ず、図１０に示すように、介在物６０が介在通路８８ｂから取出構造体９０の取込部１００に存在する。その状態において、操作体１０３が人によって矢印Ｘ２で示す下方から上方に持ち上げられる。これによって、図１１に示すように、取出構造体９０が上方に移動し、取込部１００に存在した１個の介在物６０が上方に運ばれるのに伴い、取出構造体９０の閉鎖壁１０２が連絡口９４を塞いで介在通路８８ｂに存在する介在物６０を取出構造体９０の方向に移動しないように支持する。そして、図１２に示すように、操作体１０３の上方への移動に伴い、取込部１００が機構躯体８９の排出口９５と前後方向で合うと、１個の介在物６０が、矢印Ｘ３で示すように、取込部１００から排出口９５を経由して解除操作機構５９から外側に取り出される。
【００２３】
その後、操作体１０３が人によって矢印Ｘ１で示す上方から下方に押し下げられ、取出構造体９０の取込部１００が図１０に示すように連絡口９４と左右方向に対向し、介在通路８８ｂから１個の介在物６０が連絡口９４を経由して取出構造体９０の取込部１００に取り込まれる。その後、操作体１０３が人によって矢印Ｘ２で示す下方から上方に持ち上げられ、１個の介在物６０が解除操作機構５９から外側に取り出された後に、操作体１０３が人によって矢印Ｘ１で示す上方から下方に押し下げるというように、操作体１０３が人によって上下に往復操作されるごとに、介在物６０が１個ずつ介在通路８８ｂから解除操作機構５９の外に取り出される。そして、図１に示す介在物６０が介在通路８８ｂに存在しなくなった状態において、収納箱４９が人によって矢印Ｘ２で示す下方から上方に移動されて取付台４５から取り外される。
【００２４】
この最良の形態によれば、収納箱４９が取付台４５に台側係合機構５５および箱側係合機構５６で取り付けられ、複数の介在物６０が介在通路８８ｂに一列に収納された状態において、収納箱４９が矢印Ｘ２で示す下方から上方への取外方向に移動された場合、介在通路８８ｂに収納された複数の介在物６０が台側傾斜溝７３に衝突し、収納箱４９が取付台４５から取り外されるのを防止するので、収納箱４９を取付台４５から簡単に取り外しことができないという利点がある。複数の介在物６０を一列に収納する介在通路８８ｂが取付台４５に設けられた台側傾斜溝７３と収納箱４９に設けられた箱側傾斜溝８１とからなる機械的な構造物によって形成されているので、収納箱４９に対する不正な行為を防止する機構が簡素かつ経済的であるという利点がある。また、介在通路８８ｂに収納された複数の介在物６０を１回の往復操作ごとに１個ずつ介在通路８８ｂから介在通路８８ｂの外に取り出す解除操作機構５９が台側ロック機構５７に設けられているので、介在通路８８ｂに収納された複数の介在物６０の個数だけ、人が解除操作機構５９を往復操作しなければ、収納箱４９が取付台４５から取り外されないので、収納箱４９を取付台４５から簡単に取り外すことができないように、収納箱４９の取付台４５からの取外操作が面倒であるものの、遊技店から使用済として回収したパチンコ機から収納箱４９を取付台４５から取り外して回収することができるという利点がある。また、介在物６０として遊技媒体としてのパチンコ球と呼ばれる球体を用いなくてもよいが、遊技機が球体を遊技媒体として使用するパチンコ機のような遊技機の場合において、球体からなる介在物６０として遊技媒体としての球体を用いれば、パチンコ機のような遊技機に収納箱取付装置を安価に適用することができるという利点がある。
【００２５】
最良の形態において、収納箱４９の取付台４５への取付方向および取外方向は、逆であってもよい。つまり、収納箱４９が矢印Ｘ２で示す下方から上方に移動することによって取付台４５に取り付けられ、収納箱４９が矢印Ｘ１で示す上方から下方に移動することによって取付台４５から取り外される構造である。
【産業上の利用可能性】
【００２６】
図１３および図１４は、別の形態である。図１３は、遊技機の収納箱取付装置を分解して示す。図１４は、遊技機の収納箱取付装置を組み立てた裏面を示す。図１３において、封止部５２が収納箱４９の左係合壁６８および右係合壁６９の設けられていない例えば上部に位置する側面（上側面）に設けられ、図４の誘導通路９２が解除操作機構５９の機構躯体８９から取り除かれる。これによって、図１４に示すように、収納箱４９が取付台４５に台側係合機構５５および箱側係合機構５６で取り付けられた場合、介在通路８８ｂが解除操作機構５９の連絡口９４につながるので、収納箱４９の取付台４５から取り外しを防止するために、台側傾斜溝７３と箱側傾斜溝８１とからなる介在通路８８ｂに収納される介在物６０の個数を増やすことができるという利点がある。
【００２７】
図１５は、さらなる別の形態に係る遊技機の収納箱取付装置を分解して示す。図１５において、収納箱４９が取付台４５に矢印Ｘ４；Ｘ５で示すように横方向で取り付けられたり取り外されたりする構造であって、球体からなる介在物６０が上方から下方に流れる構造である。つまり、台側係合機構５５が取付台４５に上下方向に離れて相対峙して設けられる。台側ロック機構５７の台側傾斜溝１０７が取付台４５に上下方向に延長して設けられる。解除操作機構５９が取付台４５に台側傾斜溝１０７の下端に位置して設けられる。箱側係合機構５６が収納箱４９に上下方向に離れて相対峙して設けられる。箱側ロック機構５８の箱側傾斜溝１０８が収納箱４９に上下方向に延長して設けられる。そして、収納箱４９が取付台４５の左方に配置され、収納箱４９が取付台４５の方向に移動され、箱側係合機構５６が台側係合機構５５に左方から嵌め込まれた後に矢印Ｘ４で示す左方から右方への移動によって摺接係合し、取付台４５のコネクタ７０と収納箱４９のコネクタ７１とが互いに接続され、収納箱４９がそれ以上右方に移動しないように取付台４５に取り付けられることによって、台側傾斜溝１０７と箱側傾斜溝１０８とが互いに前後方向に対向して介在通路８８ｂを形成する。
【００２８】
次に、複数の介在物６０が収納箱４９と取付台４５との間における介在通路８８ｂに上方から挿入されて数珠繋ぎとなるように一列に収納されて解除操作機構５９で支持される。このように介在物６０が介在通路８８ｂに存在する状態において、人が、収納箱４９を取付台４５より取り外そうとして、収納箱４９を矢印Ｘ５で示す右方から左方に移動した場合、介在通路８８ｂに存在する介在物６０が箱側傾斜溝１０８で左方に移動して台側傾斜溝１０７に衝突し、収納箱４９が取付台４５から取り外せない。その状態において、人が収納箱４９を取付台４５から取り外す場合には、操作体１０３が人によって矢印Ｘ４で示す左方から右方に移動されるのに伴い、取込部１００が解除操作機構５９の排出口９５と前後方向で合うことによって、１個の介在物６０が、取込部１００から排出口９５を経由して解除操作機構５９の外側に取り出される。その後、操作体１０３が人によって矢印Ｘ５で示す右方から左方に移動されるのに伴い、取込部１００が連絡口９４と上下方向に対向し、１個の介在物６０が介在通路８８ｂから連絡口９４を経由して取出構造体９０の取込部１００に取り込まれる。このような操作体１０３の矢印Ｘ４；Ｘ５で示す方向の操作を介在通路８８ｂに挿入された介在物６０の個数だけ往復操作されることによって、収納箱４９が人によって矢印Ｘ５で示す右方から左方に移動されて取付台４５から取り外される。この形態において、台側傾斜溝１０７および箱側傾斜溝１０８は、矢印Ｘ４；Ｘ５で示す方向に直交する上下方向でなくとも、介在通路８８ｂに挿入された介在物６０が上方から下方に流れる、矢印Ｘ４；Ｘ５で示す方向に交差する傾斜した溝であってもよい。
【００２９】
図１５において、収納箱４９の取付台４５への取付方向および取外方向は、逆であってもよい。つまり、収納箱４９が矢印Ｘ５で示す右方から左方に移動することによって取付台４５に取り付けられ、収納箱４９が矢印Ｘ４で示す左方から右方に移動することによって取付台４５から取り外される構造である。これは、図１５の左側を右側と読み替え、図１５の右側を左側と読み替えることによって、容易に理解できるであろう。
【００３０】
図１６および図１７は、さらなる別の形態である。図１６は、遊技機の収納箱取付装置を裏面から示す。図１７は、図１６をＧ−Ｇ線に沿い切断した断面を示す。図１６および図１７において、介在物６０は、台側ロック機構５７の台側傾斜溝１０９と箱側ロック機構５８の箱側傾斜溝１１０とからなる介在通路８８ｂを一方向に流れる円盤により構成される。この円盤からなる介在物６０としては、遊技媒体としてのメダルと呼ばれる円盤を用いなくてもよいが、遊技機が円盤を遊技媒体として使用するスロットマシンのような遊技機の場合において、円盤からなる介在物６０として遊技媒体としての円盤を用いれば、スロットマシンのような遊技機に収納箱取付装置を安価に適用することができるという利点がある。
【００３１】
図示は省略するが、収納箱４９は、主制御装置４６以外のスピーカから放出される音を制御する音制御装置、表示灯の点灯・点滅・消灯を制御する表示灯制御装置、スピーカから放出される音や表示灯の点灯・点滅・消灯による演出を制御する演出制御または複合制御と呼ばれる制御装置、賞球や貸球を払い出す球払出機構を制御する払出制御装置、発射機構を制御する発射制御装置、球払出機構や発射機構を制御する払出発射制御装置、交流を直流に変換する電源装置などにおける収納箱であってもよい。取付台４５は、遊技盤４１以外の遊技機枠１、パチンコ機の遊技機枠１に相当するスロットマシンの筐体、パチンコ機の遊技盤４１に相当するスロットマシンの図柄表示装置に取り付けられて同様に適用することができる。
【図面の簡単な説明】
【００３２】
【図１】遊技機の収納箱取付装置の要部を示す断面図（最良の形態）。
【図２】パチンコ機の遊技機枠と遊技盤とを示す分解斜視図（最良の形態）。
【図３】遊技機の収納箱取付装置を示す分解斜視図（最良の形態）。
【図４】解除操作機構を裏側から示す分解斜視図（最良の形態）。
【図５】解除操作機構を前側から示す分解斜視図（最良の形態）。
【図６】収納箱を取付台に取り付ける状態を示す背面図（最良の形態）。
【図７】介在物でロックした遊技機の収納箱取付装置を示す背面図（最良の形態）。
【図８】図７のＢ−Ｂ線断面図（最良の形態）。
【図９】図７のＣ−Ｃ線断面図（最良の形態）。
【図１０】ａ図は解除操作機構に介在物が取り込まれた状態を示す裏面的な模式図、ｂ図はａ図のＤ−Ｄ線断面図（最良の形態）。
【図１１】ａ図は解除操作機構で介在物を上方に運んだ状態を示す裏面的な模式図、ｂ図はａ図のＥ−Ｅ線断面図（最良の形態）。
【図１２】ａ図は解除操作機構に介在物を外に排出した状態を示す裏面的な模式図、ｂ図はａ図のＦ−Ｆ線断面図（最良の形態）。
【図１３】遊技機の収納箱取付装置を示す分解斜視図（別の形態）。
【図１４】遊技機の収納箱取付装置を示す組立裏面図（別の形態）。
【図１５】遊技機の収納箱取付装置を示す分解裏面図（別の形態）。
【図１６】遊技機の収納箱取付装置の示す裏面図（別の形態）。
【図１７】図１６のＧ−Ｇ線断面図（別の形態）。
【符号の説明】
【００３３】
４５    取付台
４９    収納箱
５５    台側係合機構
５６    箱側係合機構
５７    台側ロック機構
５８    箱側ロック機構
５９    解除操作機構
６０    介在物
７３    台側傾斜溝
８１    箱側傾斜溝
８８ｂ  介在通路
１０７  台側傾斜溝
１０８  箱側傾斜溝
１０９  台側傾斜溝
１１０  箱側傾斜溝
【図１】
2006167338.tif 000003
【図２】
2006167338.tif 000004
【図３】
2006167338.tif 000005
【図４】
2006167338.tif 000006
【図５】
2006167338.tif 000007
【図６】
2006167338.tif 000008
【図７】
2006167338.tif 000009
【図８】
2006167338.tif 000010
【図９】
2006167338.tif 000011
【図１０】
2006167338.tif 000012
【図１１】
2006167338.tif 000013
【図１２】
2006167338.tif 000014
【図１３】
2006167338.tif 000015
【図１４】
2006167338.tif 000016
【図１５】
2006167338.tif 000017
【図１６】
2006167338.tif 000018
【図１７】
2006167338.tif 000019